(57)【要約】【課題】アークの影響を抑えることができるコネクタを提供する。【解決手段】オスコネクタ１００は、メスコネクタ２００に設けられるジャック端子２３２に接続されるプラグ端子１２２，１２３と、外部へ電力を出力する出力端子１２４，１２５と、プラグ端子１２２，１２３と出力端子１２４，１２５とを電気的に接続する第１内部接点１４１及び第１内部接点１４１よりも抵抗値の低い第２内部接点１４２と、を備える。メスコネクタ２００が嵌合したとき、第１内部接点１４１及び第２内部接点１４２がプラグ端子１２２，１２３及び出力端子１２４，１２５と接触し、メスコネクタ２００の抜去時に、第１内部接点１４１がプラグ端子１２２，１２３及び出力端子１２４，１２５と接触を維持し、かつ、第２内部接点１４２はプラグ端子１２２，１２３及び出力端子１２４，１２５と接触しない状態に切り替わる。【選択図】図１２
2020013678.tif 000002
【特許請求の範囲】
【請求項１】
他のコネクタと嵌合可能なコネクタであって、
前記他のコネクタに設けられる他の接続端子に接続される接続端子と、
外部へ電力を出力する出力端子と、
前記接続端子と前記出力端子とを電気的に接続する第１内部接点及び前記第１内部接点よりも抵抗値の低い第２内部接点と、
を備え、
前記他のコネクタが嵌合したとき、前記第１内部接点及び前記第２内部接点が前記接続端子及び前記出力端子と接触し、
前記他のコネクタの抜去時に、前記第１内部接点が前記接続端子及び前記出力端子と接触を維持し、かつ、前記第２内部接点は前記接続端子及び前記出力端子と接触しない状態に切り替わる、
コネクタ。
【請求項２】
前記第１内部接点には抵抗が接続されている、請求項１に記載のコネクタ。
【請求項３】
前記他のコネクタの挿入するとき少なくとも前記接続端子が前記他の接続端子と接続する導通開始時に、前記第１内部接点が前記接続端子及び前記出力端子と接触し、前記第２内部接点は前記接続端子及び前記出力端子と接触しない、
請求項１または２に記載のコネクタ。
【請求項４】
前記第１内部接点及び前記第２内部接点が設置され、前記他のコネクタの嵌合方向に沿って摺動可能であり、前記他のコネクタが嵌合しないとき基準位置に位置し、前記他のコネクタが嵌合するとき前記他のコネクタにより押されて前記基準位置から前記嵌合方向に移動するスイッチと、
前記スイッチが前記基準位置に位置するときの、前記接続端子の前記第２内部接点の位置に設けられる切り欠きと、を有する、
請求項１〜３のいずれか１項に記載のコネクタ。
【発明の詳細な説明】
【技術分野】
【０００１】
本開示は、コネクタに関する。
【背景技術】
【０００２】
電気機器が電源より電力の供給を受ける際には、コネクタを介し電源より電気機器へ電力が供給される。この際用いられるコネクタは、凸状の雄型タイプのコネクタと、凹状の雌型タイプのコネクタを嵌合することにより、電気的に接続を行うものである。
【０００３】
近年では、地球温暖化等に対する対策の一つとして、電力損失が少ない、直流高電圧での電力の供給が検討されている。特に、データセンターやサーバなどのＩＣＴ機器においては、大量に電力を消費するため、直流高電圧による電力供給が望ましいものとされている。
【０００４】
電気機器に供給される電力に関しては、電圧が高いと人体に影響を及ぼす場合や、電子部品の動作に影響を与える場合がある。ＩＣＴ機器の設置やメンテナンスの際に人により作業が行われるため、直流高電圧の電力を用いる場合のコネクタは、交流の商用電源に用いられるコネクタとは異なるものとする必要がある（例えば特許文献１）。
【先行技術文献】
【特許文献】
【０００５】
【特許文献１】特開２０１２−１０４４４８号公報
【発明の概要】
【発明が解決しようとする課題】
【０００６】
直流・高電圧の電力供給を行う場合、例えばコネクタ間が導通している状態で引き抜くと、接点間にアークが発生するためメンテナンス等の作業に影響が出る場合がある。
【０００７】
本開示は、アークの影響を抑えることができるコネクタを提供することを目的とする。
【課題を解決するための手段】
【０００８】
本発明の実施形態の一観点に係るコネクタは、他のコネクタと嵌合可能なコネクタであって、前記他のコネクタに設けられる他の接続端子に接続される接続端子と、外部へ電力を出力する出力端子と、前記接続端子と前記出力端子とを電気的に接続する第１内部接点及び前記第１内部接点よりも抵抗値の低い第２内部接点と、を備え、前記他のコネクタが嵌合したとき、前記第１内部接点及び前記第２内部接点が前記接続端子及び前記出力端子と接触し、前記他のコネクタの抜去時に、前記第１内部接点が前記接続端子及び前記出力端子と接触を維持し、かつ、前記第２内部接点は前記接続端子及び前記出力端子と接触しない状態に切り替わる。
【発明の効果】
【０００９】
本開示によれば、アークの影響を抑えることができるコネクタを提供することができる。
【図面の簡単な説明】
【００１０】
【図１】実施形態に係るオスコネクタの斜視図
【図２】オスコネクタの正面図
【図３】オスコネクタの背面図
【図４】オスコネクタの縦断面図
【図５】オスコネクタからカバーを除いた内部構成を示す斜視図
【図６】スイッチの斜視図
【図７】内部接点の斜視図
【図８】メスコネクタの斜視図
【図９】導通開始時のオスコネクタ内部の状態を示す断面図
【図１０】メスコネクタ挿入時のオスコネクタ内部の状態を示す断面図
【図１１】メスコネクタ胴突き時のオスコネクタ内部の状態を示す断面図
【図１２】メスコネクタ抜去時のオスコネクタ内部の状態を示す断面図
【発明を実施するための形態】
【００１１】
以下、添付図面を参照しながら実施形態について説明する。説明の理解を容易にするため、各図面において同一の構成要素に対しては可能な限り同一の符号を付して、重複する説明は省略する。
【００１２】
なお、以下の説明において、ｘ方向、ｙ方向、ｚ方向は互いに垂直な方向である。ｘ方向はオスコネクタ１００とメスコネクタ２００との嵌合方向であり、オスコネクタ１００の嵌合部１１１が開口する方向がｘ正方向であり、メスコネクタ２００の嵌合部２１１が向く方向がｘ負方向である。
【００１３】
図１〜図３、図８を参照して、実施形態に係るコネクタとしてのオスコネクタ１００の構成について説明する。図１は、実施形態に係るオスコネクタ１００の斜視図である。図２はオスコネクタの正面図である。図３はオスコネクタ１００の背面図である。図８は、メスコネクタ２００の斜視図である。
【００１４】
図１〜３に示すオスコネクタ１００は、メスコネクタ２００（他のコネクタ）と接続されるものである。本実施形態のオスコネクタ１００及びメスコネクタ２００は、直流高電圧の電力供給に利用される。直流電源は、電圧変換や送電等における電力損失が少なく、ケーブルも太くする必要がないので、大量に電力を消費するデータセンターなどの施設やサーバなどのＩＣＴ機器で利用される。
【００１５】
なお、オスコネクタ１００をプラグコネクタ、メスコネクタ２００をジャックコネクタとも呼ぶこともできる。オスコネクタ１００には複数のプラグ端子（接続端子）が設けられており、メスコネクタ２００にはプラグ端子と接続される複数のジャック端子（他の接続端子）が設けられている。
【００１６】
図１、図２に示すように、オスコネクタ１００は、カバー１１０のｘ正側の端面にメスコネクタ２００と嵌合する凹状の嵌合部１１１を備える。嵌合部１１１は、カバー１１０のｘ正側端面からｘ負側に凹んで形成される。嵌合部１１１は断面形状が略矩形状であり、最奥に嵌合底面１１６を有する。嵌合部１１１の内周面のうちｚ負側の面の略中央には、ｚ正側に突出する下側凸部１１２が設けられる。嵌合部１１１の内周面のうちｚ正側の面には、ｚ負側に突出する一対の上側凸部１１３が設けられる。
【００１７】
図８に示すように、メスコネクタ２００は、オスコネクタ１００と嵌合する凸状の嵌合部２１１を備える。嵌合部２１１の形状は嵌合部１１１と対応しており、断面形状が略矩形状であり、嵌合部２１１の外周面のｚ負側の面の略中央には、ｚ正側に凹む下側凹部２１２が設けられる。嵌合部２１１の外周面のｚ正側の面には、ｚ負側に凹む一対の上側凹部２１３が設けられる。オスコネクタ１００とメスコネクタ２００との嵌合時には、下側凸部１１２が下側凹部２１２に嵌合し、上側凸部１１３が上側凹部２１３に嵌合する。
【００１８】
図１に示すように、嵌合部１１１内周のｚ正側の面には連結孔１１４が設けられる。一方、図８に示すように、嵌合部２１１外周のｚ正側の面には連結爪２１４が設けられる。オスコネクタ１００とメスコネクタ２００との嵌合時には、連結爪２１４が連結孔１１４に係合して嵌合状態を維持できる。
【００１９】
図１、図２に示すように、嵌合部１１１には、三本のプラグ端子１２１、１２２、１２３が設けられる。各々のプラグ端子１２１、１２２、１２３は、メスコネクタ２００の開口部２２１、２２２、２２３の内部に設けられたジャック端子と接続される。プラグ端子１２１は、メスコネクタ２００の開口部２２１の内部に設けられたジャック端子２３１（図９（ａ）参照）と接続され、プラグ端子１２２は開口部２２２の内部に設けられたジャック端子２３２（図９（ｂ）参照）と接続され、プラグ端子１２３は開口部２２３の内部に設けられたジャック端子（図示せず）と接続される。
【００２０】
図３に示すように、オスコネクタ１００の嵌合部１１１が形成されている側とは反対側は、背面壁１１５でカバー１１０が封止されている。オスコネクタ１００は、背面壁１１５から外部に露出する出力端子１２４、１２５を備える。出力端子１２４はプラグ端子１２２と導通可能であり、出力端子１２５はプラグ端子１２３と導通可能である。プラグ端子１２１はＧＮＤ端子であり、プラグ端子１２２、１２３よりも長く形成されており、出力端子１２４、１２５と共にカバー１１０のｘ負側端面に露出している。プラグ端子１２２、１２３は電力が供給される端子であり、例えばプラグ端子１２２が負極で、プラグ端子１２３が正極である。
【００２１】
図４〜図８を参照してオスコネクタ１００の内部構成を説明する。図４は、オスコネクタ１００の縦断面図であり、図３中のＡ−Ａ断面である。図５は、オスコネクタ１００からカバー１１０を除いた内部構成を示す斜視図である。図６はスイッチ１３０の斜視図である。図７は、内部接点１４１、１４２の斜視図であり、（ａ）は第１内部接点１４１を示し、（ｂ）は第２内部接点１４２を示す。
【００２２】
図４に示すように、オスコネクタ１００は、カバー１１０の内部にスイッチ１３０を備える。スイッチ１３０には、プラグ端子１２２、１２３と、出力端子１２４、１２５とが電気的に接続されている。スイッチ１３０は、ｘ方向に摺動可能に設置されており、ｘ方向の移動によってプラグ端子１２２、１２３と、出力端子１２４、１２５との導通状態を切り替える。
【００２３】
スイッチ１３０は、図６に示すように、ｙ方向中央に配置される本体１３１と、本体１３１のｚ正側（上方）に配置され、ｘ正側に突出する押圧部１３２と、本体１３１のｚ負側（下方）に配置される中央ガイド１３３と、本体１３１のｘ正側端部のｙ方向両側に配置される一対のサイドガイド１３４と、本体１３１のｘ負側端部に設けられる固定部１３５とを有する。スイッチ１３０は、コネクタ非嵌合時にはカバー１１０内部の所定の基準位置（図４の位置）に配置される。
【００２４】
オスコネクタ１００の内部は、図４に示すように、嵌合底面１１６と背面壁１１５との間の内部空間１１８と、内部空間１１８と連通して嵌合部１１１のｚ負側に配置される下部空間１１９を有する。中央ガイド１３３は内部空間１１８の下面に摺動可能に取り付けられ、サイドガイド１３４は下部空間１１９と内部空間１１８との間を摺動可能に取り付けられる。
【００２５】
また、図２、図４に示すように、嵌合底面１１６の下側凸部１１２の直上には貫通孔１１７が設けられ、内部空間１１８と嵌合部１１１とを連通している。スイッチ１３０の押圧部１３２は貫通孔１１７を通って嵌合部１１１に露出する。押圧部１３２は、ｘ方向に沿って嵌合部１１１内で進退可能となっている。
【００２６】
固定部１３５には、コイルばね１５０が取り付けられ、コイルばね１５０の一端がスイッチ１３０の本体１３１に嵌め込まれている。コイルばね１５０の他端は背面壁１１５に嵌め込まれている。スイッチ１３０が背面壁１１５に近づくように移動したときにコイルばね１５０が収縮して、固定部１３５を介してスイッチ１３０にｘ正側に付勢力が加わるようになっている。
【００２７】
スイッチ１３０は、嵌合部１１１にメスコネクタ２００が嵌合する際に、メスコネクタ２００の端面２１５によって押圧部１３２が押されるとｘ負側に移動してコイルばね１５０を収縮させる。スイッチ１３０は、嵌合部１１１からメスコネクタ２００が外れる際に、コイルばね１５０の付勢力によってｘ正側に移動して基準位置に戻る。
【００２８】
本体１３１のｙ方向両側には、第１接点取付部１３６と、第２接点取付部１３７とが設けられる。第１接点取付部１３６と第２接点取付部１３７は、本体１３１からｙ方向外側に突出して設けられ、ｘ方向に並んで配置される。第１接点取付部１３６には第１内部接点１４１が取り付けられる。第２接点取付部１３７には第２内部接点１４２が取り付けられる。
【００２９】
図７（ａ）に示すように、第１内部接点１４１は、平板を湾曲して形成される部材であり、図５に示すように、ｚ正側のプラグ端子１２２，１２３と、ｚ負側の出力端子１２４、１２５とを電気的に接続する。第１内部接点１４１は、入力側の部材１４１Ａ、出力側の部材１４１Ｂ、抵抗１４１Ｃを有し、ｚ正側から部材１４１Ａ、抵抗１４１Ｃ、部材１４１Ｂの順で連結されている。第１内部接点１４１は、抵抗１４１Ｃを介してプラグ端子１２２，１２３から出力端子１２４、１２５に電流を流すことができる。
【００３０】
図７（ｂ）に示すように、第２内部接点１４２は平板を湾曲して一体的に形成される部材であり、図５に示すように、ｚ正側のプラグ端子１２２，１２３と、ｚ負側の出力端子１２４、１２５とを電気的に接続する。第２内部接点１４２は、第１内部接点１４１の抵抗１４１Ｃに相当する要素を有しておらず、抵抗１４１Ｃを介さずにプラグ端子１２２，１２３から出力端子１２４、１２５に電流を流す。
【００３１】
プラグ端子１２２、１２３は、ｚ負方の端面で第１内部接点１４１、第２内部接点１４２と接触する。プラグ端子１２２、１２３の下面の一部に切り欠き１２６が設けられている。切り欠き１２６は、スイッチ１３０がコネクタ非嵌合時の基準位置（図４の位置）にあるとき、第２内部接点１４２が配置されるｘ方向位置に設けられる。このようにプラグ端子１２２、１２３に切り欠き１２６を設けることによって、第２内部接点１４２は、スイッチ１３０が基準位置にあるときはプラグ端子１２２、１２３と出力端子１２４、１２５とを電気的に接続しないように構成される。
【００３２】
オスコネクタ１００のプラグ端子１２１、１２２、１２３及び出力端子１２４、１２５、第１内部接点１４１、第２内部接点１４２や、メスコネクタ２００のジャック端子２３１、２３２は、金属などの導電性材料で形成される。オスコネクタ１００のカバー１１０、背面壁１１５、スイッチ１３０は、合成樹脂などの絶縁材料で形成される。
【００３３】
図９〜図１２を参照してメスコネクタ２００との嵌合動作中のオスコネクタ１００の導通切替動作について説明する。図９〜図１２の各図では（ａ）は図４と同様に図２，３に示すＡ−Ａ断面であり、（ｂ）は図２，３に示すＢ−Ｂ断面である。
【００３４】
図９は、導通開始時のオスコネクタ内部の状態を示す断面図である。図９(ａ)に示すように、メスコネクタ２００の嵌合部２１１がオスコネクタ１００の嵌合部１１１に嵌合しはじめ、プラグ端子１２２、１２３が開口部２２２、２２３に進入して内部のジャック端子２３２と接触すると、メスコネクタ２００からオスコネクタ１００に電流が流れはじめる。このとき、嵌合部２１１の端面２１５は押圧部１３２に突き当たり、嵌合にともなって押圧部１３２をｘ負側へ押し始め、これによりスイッチ１３０も基準位置からｘ負側に移動しはじめる。
【００３５】
図９（ｂ）に示すように、導通開始時にはスイッチ１３０は基準位置にいるので、プラグ端子１２２の切り欠き１２６は第２内部接点１４２の上にあって、第２内部接点１４２はプラグ端子１２２と接触していない。一方、第１内部接点１４１はプラグ端子１２２と出力端子１２４の両方と常時接触している。したがって、図９の導通開始時には、図９（ｂ）に点線矢印で示すように、メスコネクタ２００から入力した電流はプラグ端子１２２から第１内部接点１４１を通って出力端子１２４に流れる。電流は第１内部接点１４１から抵抗１４１Ｃを介して流れるので、メスコネクタ２００からオスコネクタ１００に流れる電流値を相対的に低く抑える。
【００３６】
図１０は、メスコネクタ２００挿入時のオスコネクタ内部の状態を示す断面図である。図１０（ａ）に示すように、メスコネクタ２００の嵌合が進み、端面２１５が押圧部１３２をさらに押し込んで、スイッチ１３０がさらにｘ負側に移動する。この結果、図１０（ｂ）に示すように、第２内部接点１４２がプラグ端子１２２の切り欠き１２６の位置よりｘ負側に移動してプラグ端子１２２と接触状態となる。つまり、第１内部接点１４１と第２内部接点１４２の両方が、プラグ端子１２２と出力端子１２４とを電気的に接続する。
【００３７】
このとき、第２内部接点１４２には抵抗が接続されていないため、第２内部接点１４２は抵抗１４１Ｃが接続されている第１内部接点１４１より相対的に抵抗値が少ない。このため、第１内部接点１４１よりも第２内部接点１４２に電流が流れやすくなる。第２内部接点１４２は抵抗を介さないため、大電流を流すことができる。
【００３８】
図１１は、メスコネクタ２００胴突き時のオスコネクタ内部の状態を示す断面図である。図１１（ａ）に示すように、メスコネクタ２００の嵌合部２１１の端面２１５が、オスコネクタ１００の嵌合部１１１の嵌合底面１１６に達し、端面２１５が嵌合底面１１６に突き当たる胴突き状態となると、連結爪２１４が連結孔１１４に係止されて、オスコネクタ１００とメスコネクタ２００との嵌合状態が保持される。このとき、端面２１５が押圧部１３２を嵌合部１１１内から押し出し、スイッチ１３０はｘ負側の最奥に位置する。
【００３９】
図１１に示す状態でも、図１０と同様に、図１１（ｂ）に示すように第１内部接点１４１と第２内部接点１４２の両方がプラグ端子１２２と出力端子１２４とを電気的に接続するので、主に第２内部接点１４２を介して電流が流れる。このように、本実施形態では、メスコネクタ２００を嵌合した後には、プラグ端子１２２から出力端子１２４に大電流を流すことが可能となるので、メスコネクタ２００とオスコネクタ１００との間で所望の電流（電圧）の通電を行うことができる。
【００４０】
図１２は、メスコネクタ抜去時のオスコネクタ内部の状態を示す断面図である。図１２（ａ）に示すように、メスコネクタ２００がオスコネクタ１００から引き抜かれ始めると、スイッチ１３０はコイルばね１５０の付勢力によってｘ正側へ押し出され基準位置へ移動する。図１２（ｂ）に示すように、プラグ端子１２２がジャック端子２３２から離れる瞬間には、第２内部接点１４２はプラグ端子１２２の切り欠き１２６の位置に戻っているので、第２内部接点１４２は非導通状態となり、第１内部接点１４１を介してプラグ端子１２２と出力端子１２４とを導通した、図９の導通開始時と同様の状態となる。これにより、プラグ端子１２２とジャック端子２３２との離間時には、抵抗１４１Ｃを介してプラグ端子１２２，１２３から出力端子１２４、１２５に電流が流れるので、メスコネクタ２００からオスコネクタ１００に流れる電流値を相対的に低く抑えられる。例えば、コネクタ嵌合中に第２内部接点１４２を介してプラグ端子１２２，１２３から出力端子１２４、１２５に電流が流れる状態のときに出力端子１２４、１２５から４００（Ｖ）／１０（Ａ）が出力される条件下を考える。第１内部接点１４１の抵抗１４１Ｃを１００（Ω）、電圧値を４００（Ｖ）一定とする。このとき、メスコネクタ抜去時には、プラグ端子１２２，１２３から抵抗１４１Ｃがを介して出力端子１２４、１２５に電流が流れる状態に切り替わるので、出力端子１２４、１２５から出力される電流値はオームの法則（電流値＝電圧値／抵抗値）より４（Ａ）となり、相対的に低く抑えられる。
【００４１】
このように、本実施形態のオスコネクタ１００は、メスコネクタ２００の挿入度合に応じてスイッチ１３０を移動させ、プラグ端子１２２，１２３と出力端子１２４，１２５とを導通する接点を第１内部接点１４１と、第１内部接点１４１よりも抵抗値の低い第２内部接点１４２とで切り替える。メスコネクタ２００が嵌合したときには、第１内部接点１４１及び第２内部接点１４２がプラグ端子１２２，１２３及び出力端子１２４，１２５と接触するが、メスコネクタ２００抜去時には、抵抗１４１Ｃを介して導通する第１内部接点１４１がプラグ端子１２２、１２３と出力端子１２４、１２５とを導通した状態を維持し、かつ、第２内部接点１４２はプラグ端子１２２、１２３と出力端子１２４、１２５とを導通しない状態に切り替わる。
【００４２】
一般に大容量直流電源では、オスコネクタからメスコネクタを抜去する際に、プラグ端子とジャック端子とが離間する瞬間に通電していると接点間にアークが発生する。これに対して本実施形態では、メスコネクタ２００抜去時には第１内部接点１４１のみの導通に切り替わり、メスコネクタ２００からオスコネクタ１００に流れる電流値をコネクタ嵌合中に対して相対的に低く抑えることができるので、プラグ端子１２２，１２３とジャック端子２３２とが離間する瞬間に端子間に発生するアークを好適に抑制できる。この結果、オスコネクタ１００はアークの影響を抑えることができ、より安全に直流給電ができる。
【００４３】
なお、本実施形態では、第１内部接点１４１に抵抗１４１Ｃを接続することによって、第２内部接点１４２に対して第１内部接点の抵抗値を大きくしている。このため、異なる抵抗値の抵抗１４１Ｃに置き換えることによって、第１内部接点の抵抗値を容易に調整できる。
【００４４】
また、本実施形態のオスコネクタ１００は、図９を参照して説明したように、メスコネクタ２００との嵌合初期の導通開始時にも、コネクタ抜去時と同様に、第１内部接点１４１がプラグ端子１２２、１２３と出力端子１２４、１２５とを導通する一方、第２内部接点１４２はプラグ端子１２２、１２３と出力端子１２４、１２５とを導通しない状態となっている。これにより、導通開始時にメスコネクタ２００からオスコネクタ１００に流れる電流値をコネクタ嵌合中に対して相対的に低く抑えることができるので、導通開始時に生じる突入電流を小さくできる。
【００４５】
また、本実施形態のオスコネクタ１００では、導通開始時及びコネクタ抜去時の導通切替はスイッチ１３０により実行される。スイッチ１３０は、メスコネクタ２００の嵌合方向（ｘ方向）に沿って摺動可能であり、メスコネクタ２００が嵌合しないとき基準位置に位置する。スイッチ１３０は、嵌合するメスコネクタ２００により押圧部１３２が押されることにより基準位置からｘ負方向に移動する。また、スイッチ１３０は、メスコネクタ２００抜去時にはコイルばね１５０の付勢力によって基準位置に復帰する。プラグ端子１２２、１２３は、スイッチ１３０が基準位置に位置するときの第２内部接点１４２の位置に切り欠き１２６が設けられる。
【００４６】
この構成により、メスコネクタ２００とオスコネクタ１００の導通開始時（図９参照）及びメスコネクタ２００抜去時（図１２参照）には、スイッチ１３０が基準位置近傍にあり、切り欠き１２６によってプラグ端子１２２，１２３と第２内部接点１４２とが非接触状態となるので、第１内部接点１４１のみによる導通に切り替えられる。この切替は、メスコネクタ２００の挿入・抜去によるスイッチ１３０のｘ方向の移動によって自動的に行われるので、アーク抑制や突入電流低減のために作業者が特別な手順や力を加える必要がなくより簡易に実行でき、作業者の負担を軽減できる。
【００４７】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【００４８】
上記実施形態では、導通開始時及びメスコネクタ２００抜去時に第１内部接点１４１のみによる導通に切り替える構成を例示したが、抜去時に発生するアークの影響を低減するという観点では、少なくともメスコネクタ２００抜去時に第１内部接点１４１のみによる導通が行われればよい。
【００４９】
上記実施形態では、押圧部１３２をｙ方向中央の１か所に設ける構成を例示したが、メスコネクタ２００がスイッチ１３０をｘ負方向にまっすぐ押すことができれば、押圧部１３２は複数個設けてもよい。例えばプラグ端子１２２、１２３の直下の２カ所に押圧部を設けてもよい。
【符号の説明】
【００５０】
１００  オスコネクタ（コネクタ）
１２１，１２２，１２３  プラグ端子（接続端子）
１２４，１２５  出力端子
１２６  切り欠き
１３０  スイッチ
１４１  第１内部接点
１４１Ｃ  抵抗
１４２  第２内部接点
２００  メスコネクタ（他のコネクタ）
２３１，２３２  ジャック端子（他の接続端子）
【図１】
2020013678.tif 000003
【図２】
2020013678.tif 000004
【図３】
2020013678.tif 000005
【図４】
2020013678.tif 000006
【図５】
2020013678.tif 000007
【図６】
2020013678.tif 000008
【図７】
2020013678.tif 000009
【図８】
2020013678.tif 000010
【図９】
2020013678.tif 000011
【図１０】
2020013678.tif 000012
【図１１】
2020013678.tif 000013
【図１２】
2020013678.tif 000014